(57)【要約】  【課題】重い食品、背の高い食品を可動ポケットに収納されると設置不安定状態となったり、扉開閉で可動部の破損による食品の落下、変形等の発生を防止する。  【解決手段】最下段に設けたボトルポケットと、ボトルポケットの上方に設けた複数段ポケット２を有する冷蔵庫扉であって、ボトルポケットの上段のポケット２は底面５に底穴７が設けられ、前記穴に取り外し可能な底板９を設けた構成で、可動ポケットがなくなり、重い食品を収納した状態での不安定状態がなくなる。さらに扉の開閉動作でも安定した取り付け状態を保持でき、背の高い食品容器を手軽にボトルポケットに収納することができる。【選択図】図９
2007040668.tif 000002
【特許請求の範囲】
【請求項１】
最下段に設けたボトルポケットと、ボトルポケットの上方に設けた複数段のポケットを有する冷蔵庫扉であって、ボトルポケットの上段のポケットは底面に穴が設けられ、前記穴に取り外し可能な底板を設けた構成を特徴とする冷蔵庫扉。
【請求項２】
ポケット底面の穴を部分的に覆い、幅方向に移動設置可能な底板を設けた構成を特徴とする請求項１に記載の冷蔵庫扉。
【請求項３】
ポケット底面の穴を部分的に覆う底板と、反転設置可能な凹形状を設けた底板が設けられた構成を特徴とする請求項１に記載の冷蔵庫扉。
【請求項４】
ポケット底面の穴を覆う底板と複数段のポケットが、透明樹脂で構成されたことを特徴とする請求項１から３のいずれか一項に記載の冷蔵庫扉。
【発明の詳細な説明】
【技術分野】
【０００１】
本発明は、冷蔵庫扉に係り、特に背の高い食品容器（ボトル）をボトルポケットに収納する冷蔵庫の扉に関するものである。
【背景技術】
【０００２】
従来、牛乳パックなど背の高い食品容器を冷蔵庫扉の最下段に設けたボトルポケットに収納する場合に、食品容器がその上段のポケットにあたり、ボトルポケットに収納できないので、収納スペースをつくるために、上段ポケットにスライド機構を設けボトルポケット上部にスペースを確保し食品収納を実施していた（例えば、特許文献１参照）。
【０００３】
図１０、図１１、図１３は、特許文献１に記載された従来の冷蔵庫扉を示すものである。図１０は従来の冷蔵庫の扉を開いた状態の斜視図である。図１１は従来の可変機構を備えた冷蔵庫扉のポケットの斜視図である。図１２は、図１１のＸ−Ｘ線断面図である。図１３は、ポケットが可変により縮小した状態を示す冷蔵庫扉の正面図である。
【０００４】
ポケット１２は図１１に示すように、固定ポケット１３と、可動ポケット１４に分割されている。固定ポケット１３は板状体を折曲し、側面視断図が略Ｌ字状に形成されており、片方の側壁１５と前壁１６と底壁１７を有している。そして側壁１５がドアバック１８に固定されている。可動ポケット１４は天井と片方の側壁が開口した箱状に形成されており、側壁１５に対向する側壁１９と前壁２０と底壁２１を有している。そして前壁２０の上端部は固定ポケット１３の前壁１６の上端部を包み込み、前壁２０と底壁２１によって固定ポケット１３を抱持させ、また後壁２２の上端部はレール２３に移動可能に跨がっている。そしてレール２３と固定ポケット１３と可動ポケット１４によりスライド機構２４が構成されている。
【０００５】
以上のように構成された従来の冷蔵庫扉について、以下その動作を説明する。
【０００６】
図１１、図１２において、可動ポケット１４を矢印方向に手押しすると、可動ポケット１４はレール２３上をスライドしつつ、ポケット１２の幅方向に移動する。この際、可動ポケット１４は後壁２２がレール２３と固定ポケット１３の前壁１６と底壁１７によってガイドされるので、円滑に移動する。可動ポケット１４の移動により、ポケット１２が幅方向に縮み、図１３に示すように背の高い食品容器をボトルポケット３に収納するための必要なスペースが確保される。
【特許文献１】実開平６−４０７８７号公報
【発明の開示】
【発明が解決しようとする課題】
【０００７】
しかしながら、上記従来の構成では、可動ポケット１４は伸長した状態で食品荷重をレール２３の端面と、固定ポケット１３の端面で保持するため、重い食品が可動ポケット１４に収納されると可動ポケット側壁側は特に不安定状態となる。さらに、重い食品を乗せた状態での扉の開閉で可動ポケット１４の不安定状態部の破損による食品の落下、可動ポケット１４の変形等が発生し使用者にとって使い勝手の悪い冷蔵庫扉となってしまう欠点があった。
【０００８】
また、レール２３上を可動ポケット１４がスライドするため、スライド面に摩擦が発生し、部品の削れ、擦れ音が発生するという欠点がある。
【０００９】
また、スライドの構造を設けるために従来使用していなかったレール２３が別部品として必要になり、さらに、レール２３をドアバック１８に固定するため部品も新たに必要となる。つまり従来に比べコストのかかる冷蔵庫扉となってしまうという欠点もある。
【００１０】
本発明は上記従来の課題を解決するもので、扉全幅に設けられた固定ポケットで、安定した取り付け状態で、背の高い食品容器を手軽にボトルポケットに収納することができる。さらに背の低い食品容器をボトルポケットに収納した場合でも無駄なスペースを生ずることなく、ポケットに食品を収納することができる冷蔵庫扉を提供することを目的とする。
【課題を解決するための手段】
【００１１】
上記従来の課題を解決するために、本発明の冷蔵庫扉は、最下段に設けたボトルポケットと、ボトルポケットの上方に設けた複数段のポケットを有する冷蔵庫扉であって、ボトルポケットの上段のポケットは底面に穴が設けられ、前記穴に取り外し可能な底板を設けた構成を特徴とする冷蔵庫扉である。
【００１２】
これによって、可動ポケットがなくなり、重い食品を収納した状態での不安定状態がなくなる。さらに扉の開閉動作でも安定した取り付け状態を保持できる。さらに単純な部品構成により、コストのかからない冷蔵庫扉を構成することができる。
【発明の効果】
【００１３】
本発明の冷蔵庫扉は、扉全幅に固定ポケットを設けることができ、安定した取り付け状態で、無駄なスペースを生ずることなく、背の高い食品容器、背の低い食品容器を手軽にボトルポケットに収納することができる。
【発明を実施するための最良の形態】
【００１４】
請求項１に記載の発明は、最下段に設けたボトルポケットと、ボトルポケットの上方に設けた複数段のポケットを有する冷蔵庫扉であって、ボトルポケットの上段のポケットは底面に穴が設けられ、前記穴に取り外し可能な底板を設けた構成を特徴とする冷蔵庫扉とすることにより、可動ポケットがなくなり、重い食品を収納した状態での不安定状態がなくなる。さらに扉の開閉動作でも安定した取り付け状態を保持でき、背の高い食品容器を手軽にボトルポケットに収納することができる。
【００１５】
請求項２に記載の発明は、請求項１に記載の発明において、ポケット底面の穴を部分的に覆い、幅方向に移動設置可能な底板を設けた構成を特徴とする冷蔵庫扉とすることにより、無駄なスペースを生ずることなく、背の高い食品容器を手軽にボトルポケットに収納することができる。
【００１６】
請求項３に記載の発明は、請求項１に記載の発明において、ポケット底面の穴を部分的に覆う底板と、反転設置可能な凹形状を設けた底板が設けられた構成を特徴とする冷蔵庫扉で、無駄なスペースを生ずることなく、背の高い食品容器、背の低い食品容器を手軽にボトルポケットに収納することができる。
【００１７】
請求項４に記載の発明は、請求項１から３のいずれか一項に記載の発明において、ポケット底面の穴を覆う底板とポケットが、透明樹脂で構成されたことを特徴とする冷蔵庫扉とすることにより、ポケットに収納された食品が何であるか確認が容易になり、食品収納性を向上することができる。さらに利用者に扉の広々感を与えることができる。
【００１８】
（実施の形態１）
図１は、本発明の実施の形態１による冷蔵庫の扉を開いた状態の斜視図である。図２は、同実施の形態の冷蔵庫扉の正面図である。図３は、同実施の形態の冷蔵庫扉のポケットの斜視図である。図４は、図３のＡ−Ａ線断面図である。
【００１９】
図１から図４において、１は冷蔵庫扉であり、ポケット２と、ポケット２の下段にボトルポケット３が設けられている。ポケット２は冷蔵庫扉１に固定されている。ポケット２には、底板Ａ４がポケット２の底面５の底板保持面６に全面に設置されている。底板Ａ４は、設置された状態で、底面５と同一面を構成する。さらに、ポケット２には底板保持面６に底穴７が設けられている。
【００２０】
以上のように構成された冷蔵庫扉について、以下その動作、作用を説明する。
【００２１】
まず、背の高い食品容器がボトルポケット３に収納された場合に、ポケット２を固定したままで、底板Ａ４を取り外すことにより食品容器の収納が可能となる。さらに、背の低い食品がボトルポケット３に収納された場合は、底板Ａ４を設置し、底板Ａ４、底面５と同一面のため、容易に、安定した状態でポケット２に食品を収納できる。
【００２２】
以上のように、本実施の形態においては、ポケット２が固定され、底板Ａ４が底面５と同一面のため、重い食品を収納した状態での不安定状態がなくなる。さらに扉の開閉動作でも安定した取り付け状態を保持でき、背の高い食品容器を手軽にボトルポケット３に収納することができる。また、ポケット２は２部品のみで構成でき、コストのかからないポケットとなる。
【００２３】
（実施の形態２）
図５は、本発明の実施の形態２による冷蔵庫扉の正面図である。図６は、同実施の形態の冷蔵庫扉のポケットの斜視図である。
【００２４】
図５から図６において、８は底板Ｂであり、ポケット２の底面５の底板保持面６に部分的に設置されている。底板Ｂ８は、設置された状態で、底面５と同一面を構成する。なお、ポケット２の構成は実施の形態１と同一である。
【００２５】
以上のように構成された冷蔵庫扉について、以下その動作、作用を説明する。
【００２６】
まず、背の高い食品容器がボトルポケット３に収納された場合に、ポケット２を固定して、さらに底板Ｂ８をポケット２に設置した状態で食品容器の収納が可能となる。さらに、底板Ｂ８は、取り外し、設置位置の移動が可能となり、食品収納性を向上させる。さらに背の低い食品がボトルポケット３に収納された場合は、底板Ｂ８が底面５と同一面のため、容易に、安定した状態でポケット２に食品を収納できる。
【００２７】
以上のように、本実施の形態においては、ポケット２が固定され、底板Ｂ８が底面５と同一面のため、重い食品を収納した状態での不安定状態がなくなる。さらに扉の開閉動作でも安定した取り付け状態を保存でき、背の高い食品容器を手軽にボトルポケット３に収納することができる。さらに底板Ｂ８が移動設置可能なため、無駄なスペースを生ずることなく食品容器の収納性を向上できる。
【００２８】
（実施の形態３）
図７は、本発明の実施の形態３による冷蔵庫扉の正面図である。図８は、同実施の形態の冷蔵庫扉のポケットの斜視図である。図９は、図８のＢ−Ｂ線断面図である。
【００２９】
図７から図９において、９は底板Ｃである。ポケット２は底板Ｃ９と底板Ｂ８で構成されている。底板Ｃ９と底板Ｂ８は別体構成、または、一体構成となっている。底板Ｃ９は凹形状で構成され、表フランジ１０と裏フランジ１１を有している。底板Ｃ９はポケット２の底面５の底板保持面６に表フランジ１０もしくは裏フランジ１１部分が設置でき、上向き、下向きどちらでも使用可能となっている。
【００３０】
以上のように、本実施の形態においては、ポケット２が固定され、底板Ｂ８が底面５と同一面のため、重い食品を収納した状態での不安定状態がなくなる。さらに、底板Ｃ９の表フランジ１０を底板保持面６に合わせて設置することで、背の高い食品をボトルポケット３に収納することができ、底板Ｃ９にも食品が収納可能となり、無駄なスペースを生ずることなく食品容器の収納性を向上できる。また、背の低い食品がボトルポケット３に収納された場合は、裏フランジ１１を底板保持面６に合わせて設置することで、ポケット２の食品収納スペースが増加し、食品容器の収納性を向上できる。また、扉の開閉動作でも安定した取り付け状態を保持できる。
【００３１】
また、本実施の形態のポケット２、底板Ａ４、底板Ｂ８、底板Ｃ９は使用する材料として、透明樹脂を採用することで、ポケット２に収納された食品が何であるか確認が容易になり、食品収納性向上をすることができる。さらにポケット構成部材が全て透明のために利用者に扉の広々感を与えることができる。
【産業上の利用可能性】
【００３２】
以上のように、本発明にかかる冷蔵庫扉は、ポケットに底板構造を採用することで、無駄なスペースを生ずることなく背の高い食品容器を手軽にボトルポケットに収納することができるので、収納箱を多数用いた食品収納扉や、食器棚等に適用できる。
【図面の簡単な説明】
【００３３】
【図１】本発明の実施の形態１における冷蔵庫の扉を開いた状態の斜視図
【図２】本発明の実施の形態１における冷蔵庫扉の正面図
【図３】本発明の実施の形態１における冷蔵庫扉のポケットの斜視図
【図４】図３のＡ−Ａ線断面図
【図５】本発明の実施の形態２における冷蔵庫扉の正面図
【図６】本発明の実施の形態２における冷蔵庫扉のポケットの斜視図
【図７】本発明の実施の形態３における冷蔵庫扉の正面図
【図８】本発明の実施の形態３における冷蔵庫扉のポケットの斜視図
【図９】図８のＢ−Ｂ線断面図
【図１０】従来の冷蔵庫の扉を開いた状態の斜視図
【図１１】従来の可変機構を備えた冷蔵庫扉のポケットの斜視図
【図１２】図１１のＸ−Ｘ線断面図
【図１３】従来のポケットが可変により縮小した状態を示す冷蔵庫扉の正面図
【符号の説明】
【００３４】
１    冷蔵庫扉
２    ポケット
３    ボトルポケット
４    底板Ａ
５    底面
６    底板保持面
７    底穴（穴）
８    底板Ｂ
９    底板Ｃ
１０  表フランジ
１１  裏フランジ
【図１】
2007040668.tif 000003
【図２】
2007040668.tif 000004
【図３】
2007040668.tif 000005
【図４】
2007040668.tif 000006
【図５】
2007040668.tif 000007
【図６】
2007040668.tif 000008
【図７】
2007040668.tif 000009
【図８】
2007040668.tif 000010
【図９】
2007040668.tif 000011
【図１０】
2007040668.tif 000012
【図１１】
2007040668.tif 000013
【図１２】
2007040668.tif 000014
【図１３】
2007040668.tif 000015